(57)【要約】【課題】機械作動方式によって揺れを発生できる機械式電動揺りベッドを提供する。【解決手段】ベッドの土台１の両側前後四つの位置にそれぞれ縦に吊り支柱１１がある。一枚のベッドのボード部分２の下にはサスペンションの支柱２１がある。吊り支柱１１とサスペンションの支柱２１との間にはさらにサスペンション３が吊るされていて、サスペンション３が荷重を受けるようになっている。ベッドの土台１にはモーターがあって、モーターの軸芯に突起ホイールがあることで、ベッドのボード部分２の下の相対する位置にある伝動フレームの中に固定されるようになっている。モーターによって動く突起ホイールが始動されて回転されると、ベッドのボード部分２が突起ホイールの往復運動を受けて前後及び左右両方向に揺れるようになっていることにより、機械作動方式によって揺れを発生させる。【選択図】図３Ａ
0003122978.tif 000002
【実用新案登録請求の範囲】
【請求項１】
ベッドの土台の両側前後四つの位置にそれぞれ縦に吊り支柱が設けられ、一枚のベッドのボード部分の下にはサスペンションの支柱が設けられ、吊り支柱とサスペンションの支柱との間にはさらにサスペンションが吊るされて設けられ、サスペンションが力を支持可能であり、ベッドの土台にはモーターが設けられ、モーターの軸芯に突起ホイールが設けられてベッドのボード部分の下の相対する位置に設けられている伝動フレームの中に固定され、モーターによって駆動される突起ホイールが始動されて回転すると、ベッドのボード部分が突起ホイールの往復運動を受けて前後及び左右両方向に揺動することを特徴とする機械式電動揺りベッド。
【請求項２】
椅子として使用し、操作可能であることを特徴とする請求項１に記載の機械式電動揺りベッド。
【請求項３】
サスペンション装置に吊り下げられている吊り支柱及びサスペンションは、サスペンションと結合しているベッドのボード部分にある円錐型固定パーツがベッドの土台の吊り支柱のアームの円錐型穴と結合して、ベッドのボード部分の円錐型固定パーツがベッドの土台の吊り支柱にあるアームの円錐型穴の中にはめ込まれ、円錐面の回転角度が３６０度に設定され、自由に移動可能であることを特徴とする請求項１に記載の機械式電動揺りベッド。
【考案の詳細な説明】
【技術分野】
【０００１】
本考案は、機械式の電動揺りベッドに関する。本考案の機械式電動ベッドは、機械式作動方式によってベッドの土台の動力モーターが突起ホイールを動かして往復動作させることにより、ベッドの板を前後及び左右の両方向に動かすという効果がある。
【背景技術】
【０００２】
従来の電動揺りベッドにはさまざまな設計のものがある。その目的は、使用者に寝心地のよいベッドを提供することにある。最近、ハイテク技術を強調した人体工学に則った構造が要求されるようになり、最先端の技術を謳い文句にした電子式の製品が大量に市場に出回っている。図１、図２Ａ及び図２Ｂを参照する。このタイプは、電磁の原理を利用して設計されたベッドで、ベッドのボード部分Ａの下にマグネット板Ａ１が取り付けてある。ベッドの土台部分Ｂとベッドのボード部分Ａの下に取り付けたマグネット板Ａ１の対応する位置には、電磁コイルＢ１がある。そして、ベッドのボード部分Ａ１は、サスペンションＣによってベッドの土台部分Ｂの吊り支柱Ｂ２に吊り下げられている。電磁コイルＢ１が磁力を発生し始めると、磁力によって構成された磁性はベッドのボード部分Ａ下のマグネット板Ａ１の磁性と相反する作用を持つ。このため、浮き上がり現象が形成される。この時、さらに、ベッドのボード部分Ａ下の補助ジャッキＤがベッドのボード部分Ａを押し出すことにより、前後に移動させるため、ベッドのボード部分Ａは移動し続ける。
【考案の開示】
【考案が解決しようとする課題】
【０００３】
しかしながら、これらの電磁製品は、電磁波の人体に対する影響がずっと議論されている。電磁波が確かに人体に何らかの影響を与えることは科学的にも証明されている。特に、エネルギーの量が直接人体に影響を与え、脳波や器官に何らかの影響を与えると言われている。現在の段階では、単なる論争に過ぎないが、電磁波が人体に生理的または心理的影響を及ぼすことは否定できない。さらに、無意識の内に人体の地球磁場におけるバランスを失調することになる。これは、物質文明を享受しているものの、常に危険と隣り合わせであるという漠然とした恐怖感を覚えるに違いない。
【課題を解決するための手段】
【０００４】
本考案の機械式電動揺りベッドは、ベッドの土台の両側前後四つの位置にそれぞれ縦に吊り支柱がある。そして、ベッドのボード部分の下にはサスペンションの支柱があって、吊り支柱とサスペンションの支柱との間にはさらにサスペンションが吊るされていて、サスペンションが重圧を受けるようになっている。また、ベッドの土台にはモーターがあって、モーターの軸芯に突起ホイールがあることで、ベッドのボード部分の下の相対する位置にある伝動フレームの中に固定されるようになっている。制御装置がモーターによって動く突起ホイールを始動させて回転すると、ベッドのボード部分の下の伝動フレームが突起ホイールの往復運動を受けて、ベッドのボード部分が前後及び左右に揺れるようになっている。このようにして、機械作動方式によって揺れを発生させるという特長を持つ。
【０００５】
サスペンション装置によって吊り下げられた吊り支柱とサスペンションは、サスペンションと結合するベッドのボード部分にある円錐型固定パーツがベッドの土台の吊り支柱のアームの円錐型穴と結合して、ベッドのボード部分の円錐型固定パーツがベッドの土台の吊り支柱にあるアームの円錐型穴の中にはまるようになっている。円錐面の回転角度が３６０度になるように設計されていることにより、完全に死角のない自由な運動が可能であるという特長を持つ。
【考案を実施するための最良の形態】
【０００６】
図３Ａ、図３Ｂ、図４Ａ及び図４Ｂを参照する。本考案の一実施例による機械式電動揺りベッドは、一枚のベッドのボード部分２、ベッドの土台１及び両側前後四つの位置にそれぞれ縦に吊り支柱１１がある。ベッドのボード部分２の下にはサスペンションの支柱２１があって、吊り支柱１１とサスペンションの支柱２１との間にはさらにサスペンション３が吊るされていて、サスペンション３が重圧を受けるようになっている。そのうち、ベッドのボード部分２には円錐型固定パーツ２２があって、ベッドの土台１の吊り支柱１１のアーム１２には円錐型穴１２１があり、ベッドのボード部分２の各円錐型固定パーツ２２がベッドの土台１の吊り支柱１１にあるアーム１２の円錐型穴１２１の中にはまるようになっている（図４Ａ及び図４Ｂ）。円錐面の回転角度が３６０度になるように設計されていることにより、完全に死角のない自由な運動が可能である。また、ベッドの土台１にはモーター１３があって、モーター１３の軸芯に突起ホイール１４があることで、ベッドのボード部分２の下の相対する位置にある伝動フレーム２３の中に固定される（図５及び図６）。
【０００７】
制御装置がモーター１３によって動く突起ホイール１４を始動させて回転すると、ベッドのボード部分２の下の伝動フレーム２３が突起ホイール１４の往復運動を受けて、ベッドのボード部分２を前後運動させる（図５）。この時、ベッドのボード部分２の円錐型固定パーツ２２もまたベッドの土台１の吊り支柱１１のアーム１２の円錐型穴１２１の３６０度の円錐面の自由な回転角度で運動することにより、完全に死角のないスムーズな振り子運動をする。同様に、ベッドのボード部分２下のもう一方向の伝動フレーム２３が相対する方向の突起ホイール１４による往復運動を受けて、ベッドのボード部分２を左右に移動させる（図６）。同時に、ベッドのボード部分２の円錐型固定パーツ２２もまたベッドの土台１の吊り支柱１１のアーム１２の円錐型穴１２１が３６０度の円錐面の自由な回転角度で運動することにより、完全に死角のないスムーズな振り子運動をする。このようにして、ベッドに横たわる者の皮膚を心地よく刺激して活性化させることで、長期にわたり床についているために起こる床ずれの発生を防ぐ。同時に、使用者の体が揺れることにより、体内の器官の適度な活動を行う効果があり、体の各器官の機能を正常に保つのに役立つ。
【０００８】
さらに、本実施例の構造は、椅子としても運用することが可能である（図７）。椅子のシート部分１’及び椅子の座席部分２’にはそれぞれ縦に吊り支柱１１及びサスペンションの支柱２１がある。吊り支柱１１とサスペンションの支柱２１との間にはサスペンション３が吊り下がっていて、サスペンション３が重圧を受ける役割をする。そのうち、椅子の座席部分２’には円錐型固定パーツ２２があり、椅子のシート部分１’の吊り支柱１１のアーム１２には円錐型穴１２１があって、椅子の座席部分２’の各円錐型固定パーツ２２が椅子のシート部分１’の吊り支柱１１のアーム１２の円錐型穴１２１のなかにはまり込む（図３Ｂ）。円錐面の回転角度が３６０度になるように設計されていることにより、完全に死角のない自由な運動が可能である。また、椅子のシート１’にはモーター１３があって、モーター１３の軸芯に突起ホイール１４があることで、椅子の座席部分２’の下の相対する位置にある伝動フレーム２３の中に固定される。このようにして、上述の前後及び左右両方向の作用及び効果をもつ。
【０００９】
当然、本実施例の突起ホイールの運動方式によるほか、歯車またはチェーン等の他の各種機械伝動方式によって作動させても、本考案と同等の技術的効果によって実施することが可能である。このようにして、従来の電磁を採用した設計による問題を解決することが可能である。
【００１０】
本考案の機械式電動揺りベッド及び椅子は、ベッドの土台の両側前後四つの位置にそれぞれ縦に吊り支柱がある。そして、ベッドのボード部分の下にはサスペンションの支柱があって、吊り支柱とサスペンションの支柱との間にはさらにサスペンションが吊るされていて、サスペンションが重圧を受けるようになっている。また、ベッドの土台にはモーターがあって、モーターの軸芯に突起ホイールがあることで、ベッドのボード部分の下の相対する位置にある伝動フレームの中に固定されるようになっている。制御装置がモーターによって動く突起ホイールを始動させて回転すると、ベッドのボード部分の下の伝動フレームが突起ホイールの往復運動を受けて、ベッドのボード部分が前後及び左右に揺れるようになっている。
【００１１】
さらに、本考案の機械式電動揺りベッド及び椅子では、サスペンション装置によって吊り下げられた吊り支柱とサスペンションはサスペンションと結合するベッドのボード部分にある円錐型固定パーツがベッドの土台の吊り支柱のアームの円錐型穴と結合して、ベッドのボード部分の円錐型固定パーツがベッドの土台の吊り支柱にあるアームの円錐型穴の中にはまるようになっている。円錐面の回転角度が３６０度になるように設計されていることにより、完全に死角のない自由な運動が可能であるという特長を持つ。
【図面の簡単な説明】
【００１２】
【図１】従来の電動揺りベッドを示す斜視図である。
【図２Ａ】従来の電動揺りベッドを示す模式図である。
【図２Ｂ】従来の電動揺りベッドの作動を示す模式図である。
【図３Ａ】本考案の一実施例による機械式電動揺りベッドを示す斜視図である。
【図３Ｂ】本考案の一実施例による機械式電動揺りベッドの一部分を拡大した模式図である。
【図４Ａ】本考案の一実施例による機械式電動揺りベッドの一部分を拡大した模式図である。
【図４Ｂ】本考案の一実施例による機械式電動揺りベッドの一部分を拡大した模式図である。
【図５】本考案の一実施例による機械式電動揺りベッドの前後に作動する状態を示す模式図である。
【図６】本考案の一実施例による機械式電動揺りベッドの左右に作動する状態を示す模式図である。
【図７】本考案の一実施例による機械式電動揺り椅子を示す模式図である。
【符号の説明】
【００１３】
１  ベッドの土台、１’  椅子のシート部分、２  ベッドのボード部分、２’  椅子の座席部分、３  サスペンション、１１  吊り支柱、１２  アーム、１３  モーター、１４  突起ホイール、２１  サスペンションの支柱、２２  円錐型固定パーツ、２３  伝動フレーム、１２１  円錐型穴、Ａ  ベッドのボード部分、Ａ１  マグネット板、Ｂ  ベッドの土台部分、Ｂ１  電磁コイル、Ｂ２  サスペンション、Ｃ  サスペンション、Ｄ  補助ジャッキ
【図１】
0003122978.tif 000003
【図２Ａ】
0003122978.tif 000004
【図２Ｂ】
0003122978.tif 000005
【図３Ａ】
0003122978.tif 000006
【図３Ｂ】
0003122978.tif 000007
【図４Ａ】
0003122978.tif 000008
【図４Ｂ】
0003122978.tif 000009
【図５】
0003122978.tif 000010
【図６】
0003122978.tif 000011
【図７】
0003122978.tif 000012